(57)【要約】  【課題】デジタル音楽放送受信機能を有し、利用者に対するデジタル音楽放送のインパクトを強め、利用者を楽曲演奏の合間に十分楽しませることができるカラオケ演奏装置の提供。  【解決手段】所定のデジタル音楽放送を受信した際、そのデータストリーム内から所定の関連映像データが対応付けされた映像ＩＤコードを検出した場合、当該デジタル音楽放送の音声出力と共に、当該映像ＩＤコードに対応した関連映像データを映像出力させる。【選択図】図１
2005283803.tif 000002
【特許請求の範囲】
【請求項１】
カラオケ楽曲の演奏データと映像ＩＤコードが付されたその楽曲の関連映像データとを保持し、利用者による演奏予約に従って楽曲演奏を行うカラオケ演奏装置において、
（ア）音楽データとこれに多重されたテキスト形式の番組関連データなどを含むデータストリームからなり、楽曲演奏の合間に出力するためのデジタル音楽放送を受信するためのデジタル音楽放送受信手段を備え、
（イ）前記デジタル音楽放送のデータストリーム内には、前記映像ＩＤコードが繰り返し送出されるように多数連設して記録されており、
（ウ）前記デジタル音楽放送受信手段が所定のデジタル音楽放送を受信した際、前記データストリーム内から前記映像ＩＤコードを検出した場合、当該デジタル音楽放送の音声出力と共に、当該映像ＩＤコードに対応した前記関連映像データを映像出力させることを特徴とするカラオケ演奏装置。
【請求項２】
（エ）前記デジタル音楽放送のデータストリーム内に多数連設して記録された前記映像ＩＤコードのそれぞれに、送出タイミングデータからなるサブコードを含ませてなり、
（オ）前記データストリーム内から前記映像ＩＤコードを検出した場合、当該デジタル音楽放送の音声出力と共に、当該映像ＩＤコードに対応した前記関連映像データを、前記サブコードに基づき、当該デジタル音楽放送の音声出力と同期させて映像出力させることを特徴とする請求項１記載のカラオケ演奏装置。
【発明の詳細な説明】
【技術分野】
【０００１】
本発明は、多数のカラオケ楽曲の演奏データを保持し、利用者が所望する楽曲の演奏予約に従って楽曲演奏を行うカラオケ演奏装置に関し、さらに詳しくは、デジタル音楽放送受信機能を有するカラオケ演奏装置に関する。
【背景技術】
【０００２】
最近のカラオケ演奏装置では、デジタル音楽放送を出力するサービスが試験的に行われている。この出力サービスとは、具体的には、楽曲演奏の合間に音楽番組を流すものであるが、この音楽番組には、所定の楽曲の音声データや映像データの他に、時間情報や文字情報などの付帯データを付加することもできる。現在、このようなデジタル音楽放送を提供する手段としては、例えば、通信衛星を中継局としたＣＳデジタル多チャンネル放送（以下、ＣＳ放送と称す）や、最近ではインターネットネットワークを利用したインターネットプロトコルラジオ（以下、ＩＰラジオと称す）があり、その音楽番組の構成は、ＭＰＥＧ２で規定されたデータ符号化圧縮方法によってデジタルデータに変換されてなる。さらに、これらのデータ群は時間軸で多重されて一つの番組分のデータストリーム（ビットストリーム）として送出される。また、複数チャンネル分の番組を多重することで、一つのデジタル音楽放送で１００チャンネル以上を同時に放送することもできる。
【０００３】
このデジタル音楽放送をカラオケ演奏装置が受信して音楽番組の映像や音声を再生するためにはＩＲＤ（統合受信復号装置）が用意される。ＩＲＤとはパラボラアンテナなどが捕らえた放送電波中の放送データを処理する機能を有し、音楽番組の映像データや音声データを再生する装置である。音楽番組の映像や音声はＩＲＤの音声／映像出力部に接続されたオーディオビジュアル（ＡＶ）機器によって出力されるが、このようなデジタル音楽放送はＩＲＤをＡＶ機器に接続するだけで簡単に試聴することができることから、カラオケ演奏装置の楽曲演奏の合間に、簡単に音楽番組をＢＧＭとして音声出力したり、あるいは、ディスプレイ装置を併用して映像出力ができるのである。
【０００４】
従来、このようなデジタル音楽放送受信機能を有するカラオケ演奏装置に関連して、様々な技術が想到されている。例えば、特許文献１では、デジタル音楽放送で受信した音楽番組をカラオケ演奏の合間に余興番組として流す機能を備えたカラオケ演奏装置が想到され、その音楽番組で流れた曲を歌唱したいと言う利用者が多いことに着目し、流れている音楽番組に対応するカラオケ楽曲の曲名などをディスプレイに表示して、この中から利用者に選曲予約させるようにした仕組みが開示されている。また、特許文献２では、音楽番組のデジタル放送信号に多重されたテキストデータ形式の番組関連を取得し、この中から抽出した文字列を検索キーとして伴奏音楽データや歌詞映像データと共に、カラオケ演奏装置のハードディスクに組織的に記憶されている楽曲属性データを検索し、検索された楽曲属性データに対応するカラオケ楽曲のタイトル名や歌手名などを一覧的にディスプレイに表示し、この表示中からの選曲予約を受け付けるようにする技術が開示されている。
【特許文献１】特開平１１−１６１２８６号公報
【特許文献２】特開２００１−１８４０７９号公報
【発明の開示】
【発明が解決しようとする課題】
【０００５】
しかしながら、従来技術においては、デジタル音楽放送に映像データが含まれないオーディオ形式（ラジオ方式）で放送されていたり、例え、映像データを付帯したオーディオ／ビジュアル形式（テレビ方式）で放送されていたとしても、それぞれの楽曲におけるアーティストの肖像権や映像自体の著作権などの権利コストがかかるため、通常は、一般的な映像、例えば環境映像などが映像データとして多く採用されている。これでは、利用者に対してデジタル音楽放送のインパクトが弱く、利用者を楽曲演奏の合間に十分楽しませることができない。一方、カラオケ楽曲に付帯されたその関連映像については、権利面がクリアされていることは勿論、技術面でも、アーティストの本人映像やプロモーションビデオ、アルバムジャケットやシングルジャケットの画像や紹介映像、あるいは、楽曲の雰囲気を伝える映像など、様々な映像が楽曲の演奏時間に合わせて好適に編集され、このようなカラオケ楽曲の関連映像は、当然のことながら、デジタル音楽放送のインパクトを強め、利用者を楽曲演奏の合間に十分楽しませることができる。
【０００６】
そこで、本発明は、このような現状を踏まえ、上記問題を解消するために想到されたもので、すなわち、デジタル音楽放送受信機能を有するカラオケ演奏装置において、利用者に対するデジタル音楽放送のインパクトを強め、利用者を楽曲演奏の合間に十分楽しませることができるカラオケ演奏装置の提供を課題とする。
【課題を解決するための手段】
【０００７】
上記課題を鑑み、本発明者は、所定のデジタル音楽放送を受信した際、そのデータストリーム内から所定の関連映像データが対応付けされた映像ＩＤコードを検出した場合、当該デジタル音楽放送の音声出力と共に、当該映像ＩＤコードに対応した関連映像データを映像出力させることで、上記課題を解決できることを見出し、本発明のカラオケ演奏装置を想到した。
【０００８】
すなわち、本発明の請求項１記載のカラオケ演奏装置は、カラオケ楽曲の演奏データと映像ＩＤコードが付されたその楽曲の関連映像データとを保持し、利用者による演奏予約に従って楽曲演奏を行うカラオケ演奏装置において、
（ア）音楽データとこれに多重されたテキスト形式の番組関連データなどを含むデータストリームからなり、楽曲演奏の合間に出力するためのデジタル音楽放送を受信するためのデジタル音楽放送受信手段を備え、
（イ）前記デジタル音楽放送のデータストリーム内には、前記映像ＩＤコードが繰り返し送出されるように多数連設して記録されており、
（ウ）前記デジタル音楽放送受信手段が所定のデジタル音楽放送を受信した際、前記データストリーム内から前記映像ＩＤコードを検出した場合、当該デジタル音楽放送の音声出力と共に、当該映像ＩＤコードに対応した前記関連映像データを映像出力させることを特徴とする。
【０００９】
さらに、本発明の請求項２記載のカラオケ演奏装置は、請求項１記載のカラオケ演奏装置において、
（エ）前記デジタル音楽放送のデータストリーム内に多数連設して記録された前記映像ＩＤコードのそれぞれに、送出タイミングデータからなるサブコードを含ませてなり、
（オ）前記データストリーム内から前記映像ＩＤコードを検出した場合、当該デジタル音楽放送の音声出力と共に、当該映像ＩＤコードに対応した前記関連映像データを、前記サブコードに基づき、当該デジタル音楽放送の音声出力と同期させて映像出力させることを特徴とする。
【発明の効果】
【００１０】
したがって、本発明の請求項１記載のカラオケ演奏装置によれば、デジタル音楽放送受信手段が所定のデジタル音楽放送を受信した際、そのデータストリーム内から所定の関連映像データが対応付けされた映像ＩＤコードを検出した場合、当該デジタル音楽放送の音声出力と共に、当該映像ＩＤコードに対応した前記関連映像データを映像出力させることにより、楽曲の演奏時間に合わせて好適に編集されたアーティストの本人映像やプロモーションビデオ、アルバムジャケットやシングルジャケットの画像や紹介映像、あるいは楽曲の雰囲気を伝える映像などの関連映像を利用者に提供できるため、利用者に対するデジタル音楽放送のインパクトを強め、利用者を楽曲演奏の合間に十分楽しませることができるといった効果を奏する。
【００１１】
さらに、本発明の請求項２記載のカラオケ演奏装置によれば、請求項１記載のカラオケ演奏装置において、データストリーム内に多数連設して記録された映像ＩＤコードのそれぞれに、送出タイミングデータからなるサブコードを含ませ、当該映像ＩＤコードを検出した場合、当該デジタル音楽放送の音声出力と共に、そのサブコードに基づき、当該デジタル音楽放送の音声出力と同期させて映像出力させることにより、デジタル音楽放送を受信した際、始めの楽曲が演奏途中で音声出力されたり、利用者がデジタル音楽放送のチャンネルを途中で切り替えた場合に、切り替わった楽曲が演奏途中で音声出力されたとしても、これに合わせた途中からの映像出力ができるといった効果を奏する。
【発明を実施するための最良の形態】
【００１２】
以下、本発明のデジタル音楽放送受信機能を有するカラオケ演奏装置について、最適な実施例を挙げ、請求項１記載の（ア）から（ウ）の構成について詳述する。
【実施例１】
【００１３】
先ず、図１に本発明のカラオケ演奏装置のブロック構成図を示す。本実施例のカラオケ演奏装置（１）は、ＣＰＵやメモリなどからなる中央制御手段（２）を中心として構成されており、ＤＶＤ装置（３）、表示制御手段（４）、ハードディスク（６）、ＲＡＭ（７）、ミキシングアンプ（９）、ディスプレイ装置（１０）、マイク（１２）、スピーカ（１３）や、リモコン装置（１４）、操作パネル（１５）、リモコン受信部（１６）、操作制御部（１７）などからなる利用者インタフェイス（８）、さらに、通信衛星を利用したＣＳ放送やインターネットを利用したＩＰラジオなどのデジタル音楽放送受信手段（５）やこのデジタル音楽放送受信手段（５）に接続されるパラボラアンテナ（１１）などを備える。
【００１４】
ハードディスク（６）には、カラオケ楽曲毎の楽曲ＩＤコード（１８）に対応付けられて、ＭＩＤＩ形式で記述されたカラオケの楽曲演奏データ（１９）、歌詞テロップを生成するための歌詞映像データ（２０）、テキストデータ形式で記述された楽曲名やアーティスト名などの楽曲属性データ（２１）、さらに、各種映像データの各々に個別のシリアル番号にて管理されている映像ＩＤコード（２２ａ）が付された関連映像データ（２２）などが格納されている。なお、本実施例では、関連映像データ（２２）をハードディスク（６）に格納しているが、本発明はこれに限らず、関連映像データ（２２）を後述するＤＶＤ装置（３）におけるＤＶＤ内の所定の記憶領域に格納しても構わない。
【００１５】
そして、利用者インタフェイス（８）により利用者がリクエストしたいカラオケ楽曲の楽曲ＩＤを入力する（演奏予約を行う）と、中央制御手段（２）はその楽曲ＩＤコードをＲＡＭ（７）内にある予約テーブルに登録する。すると、中央制御手段（２）は、予約テーブルに登録されている各楽曲ＩＤに対応する楽曲演奏データ（１９）を順次読み出し、これに基づいて再生した伴奏音楽をマイク（１２）に入力された歌唱音声をミキシングアンプ（９）によりミキシングしてスピーカ（１３）から出力させる。一方、ＤＶＤ装置（３）から出力される背景映像に演奏中のカラオケ楽曲の楽曲ＩＤに対応する歌詞映像データ（２０）から生成される歌詞テロップを表示制御手段（４）をもってスーパインポーズし、その映像をディスプレイ装置（１０）に出力する。
【００１６】
このカラオケ演奏装置（１）は、カラオケ伴奏の合間などにデジタル音楽放送の音楽番組を余興番組として流す機能を備えている。デジタル音楽放送の受信再生はデジタル音楽放送受信手段（５）によって行われ、このデジタル音楽放送受信手段（５）は中央制御手段（２）からの動作指示に応答して受信再生処理を開始する。このデジタル音楽放送受信手段（５）はパラボラアンテナ（１１）から入力される放送信号に多重されているデータ信号を番組毎のデータストリームに分離し、各番組のデータストリームから音声データ、映像データ、番組関連データなどを抽出する。また、必要な場合にはスクランブル解除処理も行う。さらに、デジタル音楽放送受信手段（５）は分離したＭＰＥＧ２形式の音声データや映像データをデコードして音声信号や映像信号に復号し、復号された音声信号はミキシングアンプ（９）に、また映像信号は表示制御手段（４）に出力され、スピーカ（１３）およびディスプレイ装置（１０）により音楽番組が出力される。
【００１７】
次に、図２に示すＣＳ放送のデータストリーム構成図に基づき、本発明の請求項１記載の（イ）の構成における音楽番組とこれに多重された映像ＩＤコードについて詳述する。
【００１８】
先ず、ビット構成からなるデータストリーム（３１）はＴＳ（Transport Stream）パケット（３２）と呼ばれる所定のデータ長のパケットにより区切られ、各パケットはパケットヘッダ部（３３）とペイロード（３４）と呼ばれるデータ格納部により構成される。この内、パケットヘッダ部（３３）にはパケットの同期符号や識別符号が記入され、某ペイロード（３４ａ）にはＭＰＥＧ２形式で圧縮符号化された音楽番組の映像信号や音声信号が多重されたデータ（３５）が格納される。また、これとは別のペイロード（３４ｂ）には放送中の音楽番組の曲名・アーティスト名・作曲者名などの情報がテキストデータ形式で記述された番組関連データ（３６）が多重されている。なお、この番組関連データ（３６）は、特にカラオケ演奏装置での利用のために特別に多重される情報ではなく、一般的なデジタル音楽放送の利用時において、番組の途中にディスプレイに表示するなどデジタル音楽放送の付加サービスの提供や、デジタル音楽放送の運用管理に利用することなどを目的として多重されるデータである。
【００１９】
さらに別のペイロード（３４ｃ）には映像ＩＤコード（３７）が多重され、映像ＩＤコードが繰り返し送出されるように多数連設して記録されている。この映像ＩＤコード（３７）はＢＣＤコード形式で記述されており、図１に示したカラオケ演奏装置（１）のハードディスク（６）に格納している映像ＩＤコード（２２ａ）に対応している。デジタル音楽放送受信手段がこのデジタル音楽放送を受信した際、中央制御手段は、データストリーム（３１）内から映像ＩＤコード（３７）が検出されると、当該デジタル音楽放送の音声出力と共に、この映像ＩＤコード（３７）に対応した関連映像データを映像出力させる。この時、本実施例では受信したデジタル音楽放送には映像データが付帯されているが、この場合は、当該映像データは映像出力されないように制御される。
【実施例２】
【００２０】
上記実施例ではＣＳ放送を対象としているが、本発明はこれに限らず、ＩＰラジオによるデジタル音楽放送を対象とすることもできる。図３はＩＰラジオのデータストリーム構成図であり、これに基づき、請求項１記載の（イ）の構成をさらに詳述する。
【００２１】
音声情報を構成するデータストリーム（４１）は複数のＭＰ３フレーム（４２）の列で構成されており、各ＭＰ３フレーム（４２）はフレームヘッダ部（４３）とペイロード（４４）からなる。このフレームヘッダ部（４３）には制御情報が、ペイロード（４４）には演奏楽曲を一定の時間に区切った各区間の音声情報の符号化データがそれぞれ含まれている。これらＭＰ３フレーム（４２）は所定個数づつパケットに載せられ、所定のカラオケ演奏装置に送信される。そして、そのフレームヘッダ部（４３）の所定位置にはプライベートビット（４５）が付帯されており、そのビット数は１ビットと小さいが未使用となっているため、複数のプライベートビット（４５）を寄せ集めれば、プライベートタグフレーム（４６）が構成できる。このタグフレーム（４６）を多数形成し、各タグフレーム（４６）は、フレーム同期のための同期ビットＳＹＮＣ（４７）、映像ＩＤコード（４８）、符号の誤りを検出するためのフレームチェックシーケンスＦＣＳ（４９）などにより構成する。したがって、複数のプライベートタグフレーム（４６）を多重すれば、映像ＩＤコードが繰り返し送出されるように多数連設して記録できるため、前述したＣＳ放送と同様の原理でシステムを運用できる。
【００２２】
次に、図４に示す、本発明における映像ＩＤコードの構成例に基づき、請求項２記載の（エ）と（オ）において、当該映像ＩＤコードの構成と関連映像データの映像出力とデジタル音楽放送の音声出力との同期について詳述する。
【００２３】
上記実施例では、映像ＩＤコードは個別のシリアル番号にて管理されているが、本発明はこれに限定されず、例えば、（Ａ）に示すように、１曲分のカラオケ楽曲の関連映像データが１つしかない場合には、映像ＩＤコード（５２）を楽曲ＩＤコード（５２ａ）に置き換えて構成しても構わず、この場合には、楽曲ＩＤコードにて関連映像データを管理すれば良い。また、（Ｂ）に示すように、１曲分のカラオケ楽曲に複数の関連映像データがある場合には、映像ＩＤコード（５２）を、楽曲ＩＤコード（５２ａ）と、１桁ないし２桁程度のシリアル番号（５２ｂ）とを組み合わせて構成したり、さらに、（Ｃ）に示すように、映像ＩＤコード（５２）を、楽曲ＩＤコード（５２ａ）とシリアル番号（５２ｂ）と送出タイミングデータ（５２ｃ）からなるサブコードを組み合わせて構成してもよい。
【００２４】
この送出タイミングデータ（５２ｃ）は、１曲分の演奏の進行に伴い送出される多数の映像ＩＤコードについて各々の送出タイミングを記録したものであり、この送出タイミングは、この映像ＩＤコードに対応した関連映像データの映像出力のタイミングを指定することができる。具体的には、０．０１秒刻みの時間単位にて送出タイミングデータ（５２ｃ）を形成し、この送出タイミングデータ（５２ｃ）に基づき、タイムラグがある場合には所定のアルゴリズムにて調整すれば、関連映像データの映像出力とデジタル音楽放送の音声出力とを０．０１秒刻みの時間単位にて同期させることができる。これにより、デジタル音楽放送を受信した際、始めの楽曲が演奏途中で音声出力されたり、利用者がデジタル音楽放送のチャンネルを途中で切り替えた場合、切り替わった楽曲が演奏途中で音声出力されたとしても、これに合わせた途中からの映像出力ができる。なお、本実施例では、関連映像の映像出力とデジタル音楽放送の音声出力と同期しているが、本発明はこれに限定されず、関連映像には演奏に進行に伴って映像出力させる必要のないものもあるため、必ずしもこのような同期は必要ない。
【００２５】
以上、詳述したように、本発明のデジタル音楽放送受信機能を有するカラオケ演奏装置によれば、所定のデジタル音楽放送を受信した際、そのデータストリーム内から所定の関連映像データが対応付けされた映像ＩＤコードを検出した場合、当該デジタル音楽放送の音声出力と共に当該映像ＩＤコードに対応した関連映像データを映像出力させることで、利用者に対するデジタル音楽放送のインパクトを強め、利用者を楽曲演奏の合間に十分楽しませることができる。
【図面の簡単な説明】
【００２６】
【図１】本発明のカラオケ演奏装置のブロック構成図。
【図２】本発明におけるＣＳ放送のデータストリーム構成図。
【図３】本発明におけるＩＰラジオのデータストリーム構成図。
【図４】本発明における映像ＩＤコードの構成例。
【符号の説明】
【００２７】
１  カラオケ演奏装置
２  中央制御手段
３  ＤＶＤ装置
５  デジタル音楽放送受信手段
６  ハードディスク
７  ＲＡＭ
８  利用者インタフェイス
１８  楽曲ＩＤコード
１９  楽曲演奏データ
２０  歌詞映像データ
２１  楽曲属性データ
２２  関連映像データ
２２ａ  映像ＩＤコード
【図１】
2005283803.tif 000003
【図２】
2005283803.tif 000004
【図３】
2005283803.tif 000005
【図４】
2005283803.tif 000006